(57)【特許請求の範囲】
【請求項１】
洗面台等の底部排水口を閉塞可能に、ロッド状の軸体部の上端に設けられた栓体と；栓体からの遠隔位置に配設された操作片と；を連動部材によって連動可能に連結し、その操作片による栓体の昇降操作により、底部排水口の開栓、閉栓を行う遠隔操作式排水栓において、
平断面上での、軸体部側の端末として規定された基端に対するその外周側の末端を、その基端と栓体の中心とを平面上で結ぶ直線の延長線から、排水の際に発生する渦巻き流の回転方向に対する逆方向に特定距離だけずれた位置として規定した、当該渦巻き流の回転方向に沿って捩れたスパイラル状の複数の壁状突起が、対応方向に捩れたスパイラル状の排水流路を底部排水口、栓体間の隙間としてなる排水スペース内に形成可能に、底部排水口周縁に密着可能な封止部分を周縁に残した軸体部周りの範囲内で、少なくとも栓体の下面に一体に垂設されたことを特徴とする遠隔操作式排水栓。
【請求項２】
洗面台等の底部排水口を閉塞可能に、ロッド状の軸体部の上端に設けられた栓体と；栓体からの遠隔位置に配設された操作片と；を連動部材によって連動可能に連結し、その操作片による栓体の昇降操作により、底部排水口の開栓、閉栓を行う遠隔操作式排水栓において、
平断面上での、軸体部側の端末として規定された基端に対するその外周側の末端を、その基端と栓体の中心とを平面上で結ぶ直線の延長線から、上方から見た反時計方向に特定距離だけずれた位置として規定した、上方から見た時計回りに捩れたスパイラル状の複数の壁状突起が、対応方向に捩れたスパイラル状の排水流路を底部排水口、栓体間の隙間としてなる排水スペース内に形成可能に、底部排水口周縁に密着可能な封止部分を周縁に残した軸体部周りの範囲内で、少なくとも栓体の下面に一体に垂設されたことを特徴とする遠隔操作式排水栓。
【請求項３】
洗面台等の底部排水口を閉塞可能に、ロッド状の軸体部の上端に設けられた栓体と；栓体からの遠隔位置に配設された操作片と；を連動部材によって連動可能に連結し、その操作片による栓体の昇降操作により、底部排水口の開栓、閉栓を行う遠隔操作式排水栓において、
平断面上での、軸体部側の端末として規定された基端に対するその外周側の末端を、その基端と栓体の中心とを平面上で結ぶ直線の延長線から、上方から見た時計方向に特定距離だけずれた位置として規定した、上方から見た反時計周りに捩れたスパイラル状の複数の壁状突起が、対応方向に捩れたスパイラル状の排水流路を底部排水口、栓体間の隙間としてなる排水スペース内に形成可能に、底部排水口周縁に密着可能な封止部分を周縁に残した軸体部周りの範囲内で、少なくとも栓体の下面に一体に垂設されたことを特徴とする遠隔操作式排水栓。
【請求項４】
栓体が、下方に延出した軸体部を一体に有する縦断面略T形状に成形された請求項１ないし３のいずれか記載の遠隔操作式排水栓。
【請求項５】
栓体が、下方に延出された軸体部の上端に回転自在に支持された請求項１ないし３のいずれか記載の遠隔操作式排水栓。
【請求項６】
壁状突起の基端、末端間の平断面形状が円弧状に形成された請求項１ないし５のいずれか記載の遠隔操作式排水栓。
【請求項７】
壁状突起の基端、末端間の平断面形状が直線状に形成された請求項１ないし５のいずれか記載の遠隔操作式排水栓。
【発明の詳細な説明】
【０００１】
【発明の属する技術分野】
この発明は、栓体からの遠隔位置に設けられた操作片の所定操作によって、洗面台等の底部排水口の閉栓、開栓を行う遠隔操作式排水栓に関する。
【０００２】
【従来の技術】
洗面台、流し台および浴槽等（以下、洗面台等と称する）の排水栓として、たとえば、洗面台等の周縁上面等に設けられた操作片によって底部排水口の開閉を行う、いわゆる遠隔操作式のものが知られている。
【０００３】
たとえば、実開平06−046068号公報や実開平06−020564号公報で開示するように、このような遠隔操作式排水栓においては、洗面台等の底部排水口を閉塞する栓体が、操作片、栓体と一体的な各ロッドおよびシーソー状に回動可能なレバーロッドの組み合わせからなる連動部材や、可撓性のワイヤーからなる連動部材を介して、たとえば、押し込み、引き上げ操作の可能なつまみ状の操作片に連動可能に連結されている。そして、押し込み、引き上げによる操作片の所定操作に連動した栓体の上昇、下降により、洗面台等の底部排水口の開放（開栓）、閉塞（閉栓）を行うように、この種の遠隔操作式排水栓は構成されている。
【０００４】
【発明が解決しようとする課題】
ところで、上記のような遠隔操作式排水栓においては、洗面台等で使用された水等が、栓体の上昇により生じる底部排水口、栓体間の隙間を介して排水される。つまり、水等の流出される排水スペースが比較的狭くなりやすいため、特に、底部排水口の閉栓のもとで溜められた大量の水等の円滑な排水が容易に確保できず、排水速度の低下が避けられない。
【０００５】
ここで、底部排水口における排水スペースを広く確保するために、たとえば、栓体をより高く上昇させて底部排水口、栓体間の隙間を広げることが考えられる。しかしながら、遠隔操作式排水栓においては、通常、連動部材が底部排水口から排水路内に介在されるため、底部排水口の有効断面積自体の減少が避けられない。
【０００６】
従って、底部排水口、栓体間の隙間を単純に広げた程度では、排水速度の上昇が容易に得られない。
【０００７】
この発明は、排水の際の水等の円滑な流出を確保することによって、排水時間の短縮をはかる遠隔操作式排水栓の提供を目的としている。
【０００８】
【課題を解決するための手段】
この目的を達成するために、この発明においては、底部排水口の閉栓によって洗面台等に溜められた大量の水等が、開栓された底部排水口から、特定方向の渦巻き流として流出することに着目している。
【０００９】
そこで、この発明によれば、平断面上での、軸体部側の端末として規定された基端に対するその外周側の末端を、その基端と栓体の中心とを平面上で結ぶ直線の延長線から、排水の際に発生する渦巻き流の回転方向に対する逆方向に特定距離だけずれた位置として規定した、当該渦巻き流の回転方向に沿って捩れたスパイラル状の複数の壁状突起が、対応方向に捩れたスパイラル状の排水流路を底部排水口、栓体間の隙間としてなる排水スペース内に形成可能に、底部排水口周縁に密着可能な封止部分を周縁に残した軸体部周りの範囲内で、少なくとも栓体の下面に一体に垂設されている。
【００１０】
【発明の実施の形態】
以下、図面を参照しながらこの発明の実施の形態について詳細に説明する。
【００１１】
図１に示すように、この発明に係る遠隔操作式排水栓10においては、洗面台等12の底部排水口14を閉塞可能な栓体16と、洗面台等の上面周縁12aのような栓体からの遠隔位置に配設された操作片18とが、操作片による栓体の遠隔操作を可能に、連動部材20によって連動可能に連結されている。そして、操作片18による栓体16の上昇、下降操作によって底部排水口14を開栓、閉栓可能に、この遠隔操作式排水栓10は構成されている。
【００１２】
栓体16は、たとえば、下方に延出したロッド状の軸体部22を一体に有する縦断面略T形状に成形され、排水路となる管体24の内部への軸体部の挿通により、栓体は、底部排水口14となる管体開口を閉塞可能に配設されている。参照符号26は、軸体部22に一体的に設けられたスペーサであり、管体（排水路）24に対するスペーサの摺動によって、軸体部、つまりは栓体16が、管体、ひいては底部排水口14のほぼ中央を円滑に昇降可能に支持されている。
【００１３】
なお、このような栓体16においては、周縁16aが、底部排水口14の周縁に密着する封止部分として形成されている。
【００１４】
また、図１を見るとわかるように、操作片18は、たとえば、支持ロッド28の上端に一体的に設けられ、水槽の上面周縁12aに設けられたホルダー30によって昇降自在に支持されている。
【００１５】
そして、栓体の軸体部22と操作片の支持ロッド28とが、たとえば、球体からなる回動支点32aを中間位置に一体的に有するレバーロッド32の各端末に、いわゆる自在継手34,35を介して回動自在かつ離脱不能にそれぞれ連結されている。
【００１６】
つまり、この発明の実施の形態においては、操作片の支持ロッド28と、回動支点32aを中心としてシーソー状に回動される、栓体の軸体部22の連動可能なレバーロッド32との組み合わせが、栓体16、操作片18間を連動可能に連結する連動部材20として具体化されている。
【００１７】
この種の連動部材20を利用した遠隔操作式排水栓10によれば、図１に実線で示すような操作片18の押し込みに伴う、レバーロッド32での軸体部22の押し上げによって、栓体16が底部排水口14から上昇され、この上昇による、底部排水口の開口端からの栓体の封止部分（周縁）16aの離反によって、底部排水口は開放、つまりは開栓される。
【００１８】
また、図１に実線で示す押し込み位置から、矢印方向に操作片18を引き上げると、回動支点32aを中心としたレバーロッド32のシーソー状の回動により、栓体16が軸体部22と共に引き下げられて、図１に二点鎖線で示すように、底部排水口14が閉塞、つまりは閉栓される。
【００１９】
なお、この遠隔操作式排水栓10の内部の基本構造および動作原理は、たとえば、実開平06−046068号公報に開示するように公知であり、その構造自体等はこの発明の趣旨でないため、詳細な説明は省略する。
【００２０】
ところで、この種の遠隔操作式排水栓10では、栓体16の上昇によって栓体と底部排水口14との間に形成された隙間が、洗面台等12における排水スペースとなるため、排水スペースは小さくなりやすく、底部排水口の閉栓のもとで溜められた大量の水等においては、底部排水口からの排水速度が低下しやすい。
【００２１】
ここで、この発明においては、底部排水口14の閉栓によって洗面台等12に溜められた大量の水等が、開栓された底部排水口から、特定方向の渦巻き流として流出することに着目している。そこで、図１、図２に示すように、この発明においては、排水の際に発生する渦巻き流の回転方向に沿ったスパイラル状の壁状突起38を、栓体16の下面に一体に垂設している。
【００２２】
図２、図３に示すように、壁状突起38は、等角度離反した複数箇所、たとえば、120 °離反した３ヶ所等に設けられている。
【００２３】
図３を見るとよくわかるように、壁状突起38の平断面形状は、軸体部22の周面に位置する平断面上での端末をその基端38aとするとともに、当該基端と栓体16の中心Oとを平面上で結ぶ直線の延長線40から一定方向に特定距離L1だけずれた位置に、その末端38bを設定することにより形成されている。
【００２４】
ここで、日本国内を含む地球の北半球等において、排水時の渦巻き流は、通常、底部排水口14を上方から見た場合の時計回りとされるため、日本国内で使用する場合においては、時計方向の渦巻き流に沿った向きの壁状突起38を確保可能に、壁状突起の末端38aは、図３に示すように、たとえば、延長線40から、上方から見た反時計方向にずれて設定される。
【００２５】
なお、延長線40からの特定距離L1としては、たとえば、栓体16の中心O を中心として60°程度離反した位置に相当する距離が、ここでは例示できる。
【００２６】
そして、壁状突起38は、底部排水口14の周縁への封止部分16aの密着による閉栓の妨げとならないように、封止部分を周縁に残した範囲内に設けられ、図２、図３に示すように、たとえば、基端38aと末端38bとの間での平断面形状を円弧状に形成されている。
【００２７】
このような壁状突起38は、渦巻き流としての水等の流動の妨げとならないように、渦巻き流の回転方向（上方から見た時計方向）に沿って距離L2だけ傾斜した、いわゆるスパイラル状に形成されている。
【００２８】
このような構成においては、栓体下面の壁状突起38が、図３に二点鎖線で示す、排水の際に発生する渦巻き流の回転方向に沿った向きに垂設されているため、渦巻き状に流動する水等の流動方向に応じたスパイラル状の開口が、底部排水口14、栓体16間の隙間としてなる排水スペース内で、隣接する壁状突起間に得られる。そして、底部排水口14、栓体16間の排水スペースの開口の向きを、排水の際に発生する渦巻き流の回転方向に合わせることによって、渦巻き状に回転しながらの水等の流出が容易に確保できるため、底部排水口、栓体間の排水スペースからの排水が速やかに行われる。
【００２９】
従って、底部排水口14の閉栓によって溜められた大量の水等の排水の際においても、底部排水口、栓体16間の排水スペースからの水等の流出が円滑となり、排水速度の高速化により、排水時間が短縮される。
【００３０】
そして、壁状突起38を栓体16の下面の３ヶ所程度でスパイラル状に垂設すれば足りるため、構成の複雑化を招くことなく、排水時間の短縮される遠隔操作式排水栓10が容易に確保できる。
【００３１】
なお、このような壁状突起38を下面に有する構成においては、排水の際の圧力によって、栓体16が対応方向、つまりは上方から見た場合の時計方向に回転しようとするが、上記実施の形態の構成においては、栓体と一体の軸体部22の下端が、レバーロッド32の一端に自在継手34を介して連結されているため、この連結部分が回り止めとなり、排水の際における栓体の回転は生じない。
【００３２】
ここで、この発明の実施の形態においては、壁状突起38の基端38aと末端38bとの間の平断面形状が円弧状に形成されている。しかし、壁状突起38は、軸体部22の周面に位置する基端38aと、延長線40上から反時計方向に距離L1だけずれた位置にある末端38bとを結ぶ平断面形状を持てば足りるため、図３に示すような円弧状の平断面形状に限定されず、たとえば、図４に示すような直線状の平断面形状を持つものとして、壁状突起を形成してもよい。
【００３３】
このような、基端38aと末端38bとの間の平断面形状を直線状とした壁状突起38においても、この壁状突起がスパイラル状であるため、壁状突起の捩られた向きが渦巻き流の回転方向に一致する、渦巻き状に流動する水等の流動方向に応じたスパイラル状の開口が、上記と同様に、底部排水口14、栓体16間の排水スペースに得られることになる。従って、この構成においても、底部排水口の閉栓によって溜められた大量の水等の排水の際の速度が速くなり、排水時間が短縮されるという上記と同様の効果が得られる。
【００３４】
また、この発明の実施の形態においては、壁状突起38を３ヶ所に設ける構成として具体化しているが、壁状突起は、渦巻き状に流動する水等の流動方向に応じたスパイラル状の開口を隣接する壁状突起との間に形成可能であれば足りるため、壁状突起の数はこれに限定されず、たとえば、２ヶ所または４ヶ所以上に壁状突起を設ける構成としてもよい。
【００３５】
しかしながら、２ヶ所の壁状突起38では、水等の流動方向に応じた開口としての機能性の低下が避けられないとともに、逆に、壁状突起の数が多いと、壁状突起が排水の妨げとなる虞があるため、適切な向きのスパイラル状の開口が確保でき、かつ、排水の妨げにならない３ヶ所程度が、壁状突起の配置数としては好ましいとされる。
【００３６】
ここで、この発明の実施の形態においては、底部排水口14を上方から見た場合の時計回りの渦巻き流の向きに合わせて壁状突起38を垂設可能に、壁状突起の末端38bが、栓体16の中心Oと基端38aとを平面上で結ぶ直線の延長線40から、上方から見た反時計方向にずれて設定されている。
【００３７】
しかしながら、これとは逆に、栓体16の中心Oと基端38aとを平面上で結ぶ直線の延長線40から、上方から見た時計方向にずれた位置に、壁状突起の末端38bを設定すれば、底部排水口14を上方から見た場合の反時計回りの渦巻き流に応じた向きのスパイラル状の開口が、底部排水口、栓体16間の排水スペースに得られるため、排水の際に反時計回りの渦巻き流の発生される地域、つまりは地球の南半球等において利用可能な遠隔操作式排水栓10が容易に確保できる。
【００３８】
ところで、この発明の実施の形態においては、栓体16が、軸体部22と一体に成形されて、水等の流動に対して回転不能に配設されている。しかし、これに限定されず、たとえば、栓体を水等の流れのもとで回転自在としてもよい。
【００３９】
図５に示すように、この構成においては、栓体116が、軸体部122と別体に成形され、栓体の軸受孔42への軸体部上端のすりわり付き連結端122aの遊嵌等によって、軸体部に対して回転自在に連結されている。
【００４０】
なお、この場合においては、栓体116の下面に一体に垂設されたスパイラル状の壁状突起138の基端138aが、栓体116の連結された軸体部122から分離して形成されている。そして、壁状突起の末端138bは、前記の実施の形態と同様に、封止部分116aを周縁に残した範囲内で、基端138aと栓体の中心Oとを平面上で結ぶ直線の延長線から、一定方向にずれた位置に設定されている。
【００４１】
このような構成においても、渦巻き状に流動する水等の流動方向に応じたスパイラル状の開口が、底部排水口14、栓体116間の排水スペース内に得られるため、渦巻き状に回転しながらの水等の流出が容易に確保でき、排水速度の高速化により、排水時間が短縮される。
【００４２】
そして、この構成によれば、底部排水口14からの水等の排水の際の圧力を壁状突起138が受けることによって、栓体116が対応方向に回転する。つまり、底部排水口14から排水される水等が、栓体の壁状突起138による抵抗力を受けることなく円滑に流出されるため、より速い排水速度が確保できる。
【００４３】
従って、栓体116を回転自在とすることによって、遠隔操作式排水栓10における排水時間の短縮化が一層はかられる。
【００４４】
更に、この発明の実施の形態においては、操作片の支持ロッド28と、回動支点32aを中心としてシーソー状に回動される、栓体の軸体部22(122)の連動可能なレバーロッド32との組み合わせが、栓体16(116)、操作片18間を連動可能に連結する連動部材20として例示されているが、栓体を有する軸体部と操作片18との間を連動部材で連動可能に連結すれば足りるため、上記組み合わせの連動部材に限定されず、たとえば、実開平06−020564号公報に開示するような、可撓性のケーブルを連動部材とする構成に、この発明を応用してもよい。
【００４５】
また、この実施の形態では、操作片18の押し込み、引き上げによって栓体16(116)を昇降させる構成を例示しているが、これに限定されず、たとえば、実公平06−031259号公報に開示するような、操作片の繰り返しの押し込み操作のもとで栓体による底部排水口の開栓、閉栓を切り換える構成においても、この発明の遠隔操作式排水栓10が応用できる。
【００４６】
そして、この発明の遠隔操作式排水栓は洗面台の排水栓として適するとはいえ、これに限定されず、たとえば、流し台や浴槽、および、他の据付の水槽等の排水栓に、この発明を応用してもよい。
【００４７】
上述した発明の実施の形態は、この発明を説明するためのものであり、この発明を何等限定するものでなく、この発明の技術範囲内で変形、改造等の施されたものも全てこの発明に包含されることはいうまでもない。
【００４８】
【発明の効果】
上記のように、この発明に係る遠隔操作式排水栓によれば、渦巻き状に流動する水等の流動方向に応じたスパイラル状の開口が、底部排水口、栓体間の排水スペース内で、隣接する壁状突起間に得られるため、渦巻き流としての水等の流出が容易に確保できる。従って、底部排水口の閉栓によって溜められた大量の水等の排水の際においても、底部排水口、栓体間の排水スペースからの水等の排水速度が速くなり、排水時間が短縮される。
【００４９】
そして、対応方向にスパイラル状に傾斜した壁状突起を栓体の下面に一体に垂設すれば足りるため、構成の複雑化を招くことなく、排水時間の短縮される遠隔操作式排水栓が容易に確保できる。
【００５０】
また、壁状突起の末端を、基端と栓体の中心とを平面上で結ぶ直線の延長線から、上方から見た反時計方向にずらして設けることによって、日本国内を含む地球の北半球等での利用に適した遠隔操作式排水栓が得られるとともに、壁状突起の末端を上方から見た時計方向にずらして設けることによって、地球の南半球等での利用に適した同様の排水栓が得られる。
【００５１】
従って、地球の北半球、南半球に適した遠隔操作式排水栓が、構成の複雑化を伴うことなく、壁状突起の末端を設定する方向を変えるだけで、いずれも容易に確保できる。
【００５２】
そして、栓体を軸体部に対して回転自在とすれば、底部排水口から排水される水等が、栓体の壁状突起による抵抗力を受けることなく円滑に流出されるため、より速い排水速度が確保できる。従って、遠隔操作式排水栓における排水時間の短縮化が一層はかられる。
【図面の簡単な説明】
【図１】この発明に係る遠隔操作式排水栓の一部破断の概略側面図である。
【図２】下方から見た、遠隔操作式排水栓の栓体の斜視図である。
【図３】図１の線A−Aに沿った遠隔操作式排水栓の平断面図である。
【図４】この発明の実施の形態の変形例を示す、図３に類似する平断面図である。
【図５】この発明の実施の形態の別の変形例における、遠隔操作式排水栓の栓体、軸体部の分解斜視図である。
【符号の説明】
10  遠隔操作式排水栓
14  底部排水口
16,116  栓体
16a,116a  栓体の周縁（封止部分）
18  操作片
20  連動部材
22,122  軸体部
38,138  壁状突起
38a,138a  壁状突起の基端
38b,138b  壁状突起の末端
40  延長線
【図１】
0003585650.tif 000002
【図２】
0003585650.tif 000003
【図３】
0003585650.tif 000004
【図４】
0003585650.tif 000005
【図５】
0003585650.tif 000006